(57)【要約】【課題】  画像形成装置において、省電力モードから通常モード復帰時の不要な動作による電力やトナーの無駄な消費を防止する。【解決手段】  画像形成装置の筐体カバーが開閉されたことを検出するためのカバー開閉検出部２と、筐体カバーの開閉が行われたことを記録する不揮発記憶部６と、不揮発記憶部６に電源を供給する部分給電制御部５とを有し、部分給電制御部５は、省電力モード中に、カバー開閉検出部２が筐体カバーの開閉を検知した場合に、不揮発記憶部６に電源を供給し、不揮発記憶部６は、省電力モード中にカバー開閉検出部２が筐体カバーの開閉を検知したか否かの開閉履歴情報を記憶する。【選択図】図１
2011197127.tif 000002
【特許請求の範囲】
【請求項１】
印刷動作が所定時間行われなかった場合に内部の給電を一部停止して消費電力を低く抑える省電力モードへ移行する機能を有する画像形成装置であって、
省電力モード中における画像形成装置の状態変化を監視する監視手段と、
監視結果を記憶する記憶手段と、
前記状態変化の有無に応じて、復帰時に行う前記状態変化を補正するための補正動作の実行の要否を判断する判断手段と、
を有することを特徴とする画像形成装置。
【請求項２】
請求項１に記載された画像形成装置において、
前記監視手段は、省電力モード中における装置筐体カバーの開閉を監視する機能を有し、前記記憶手段は、前記監視手段のカバー開閉の監視結果である開閉履歴情報を記憶することを特徴とする画像形成装置。
【請求項３】
請求項１に記載された画像形成装置において、
前記監視手段は、画像形成装置内部の温度及び湿度を一定の時間間隔で監視する機能を有し、前記記憶手段は、前記監視手段の温度及び湿度の監視結果である温湿度履歴情報を記憶することを特徴とする画像形成装置。
【請求項４】
請求項２又は３のいずれかに記載された画像形成装置において、
印刷部を構成する光学系ユニットのレーザ経路の補正及び光学系ユニットと感光体との位置関係の補正を行うための位置ずれ補正手段を有し、
前記判断手段は、前記記憶手段に記憶された開閉履歴情報と温湿度履歴情報を参照して、省電力モード中に筐体カバーの開閉が行われた場合、又は、省電力モード中の温度及び湿度に所定値を越える変化があった場合にのみ、前記位置ずれ補正手段に動作を指示することを特徴とする画像形成装置。
【請求項５】
請求項１に記載された画像形成装置において、
前記監視手段は、省電力モードの間にプロセスカートリッジが着脱されたか否かを監視する機能を有し、
前記記憶手段は、前記監視手段のプロセスカートリッジの着脱監視結果である着脱履歴情報を記憶することを特徴とする画像形成装置。
【請求項６】
請求項５に記載された画像形成装置において、
メッセージを表示する機能及びユーザの操作命令を入力する機能を有する操作手段と、
前記操作手段を介して省電力モード中におけるプロセスカートリッジの着脱作業の情報をユーザに問い合わせる問合せ機能を有する制御手段と、を有し、
前記判断手段は、省電力モードからの復帰時に、前記記憶手段が記憶した着脱履歴情報を参照し、省電力モード中にプロセスカートリッジの着脱が行われた場合には、前記制御手段に前記問合せの実行を指示することを特徴とする画像形成装置。
【請求項７】
請求項１ないし６に記載されたいずれかの画像形成装置において、
前記記憶手段は、不揮発記憶装置であることを特徴とする画像形成装置。
【発明の詳細な説明】
【技術分野】
【０００１】
本発明は、記録紙等に画像情報等を印刷するための画像形成装置に関し、特に、印刷動作を一定時間行わなかった場合に、装置の電力消費を低く抑える省電力モードの機能を備える画像形成装置に関する。
【背景技術】
【０００２】
電気的に読み取られた原稿の画像情報等を記録紙等に印刷する複写機、プリンタ、及びファクシミリ等の画像形成装置は、一般に、帯電させた感光体と呼ばれる円筒の表面にレーザ光を照射して原稿画像に対応した電圧変化パターン（静電潜像）を形成し、これに帯電したトナーを吸着させて記録紙に転写することにより印刷を行う。
また、カラー印刷の場合には、インク色ごとに設けられた感光体上のトナー画像を、一旦、転写ベルトと呼ばれるベルト状部材の上に重ねて転写し、この転写ベルト上に形成された画像を、記録紙に転写して印刷が行われる。
【０００３】
ここで、レーザ光を感光体表面に照射するための光学系は、光学系ユニットと呼ばれ、レーザ光源、レンズ、ミラー等の光学部品を有する。また、トナーを供給するためのトナー格納容器としては、保守の容易性等を考慮し、トナー容器のほか、感光体や、トナーを感光体へ輸送する現像ローラ等を一体化し、かつ装置本体から着脱可能としたカートリッジ（以下「プロセスカートリッジ」と称する。）が用いられるのが一般的である。
【０００４】
ところで、現在、企業オフィス等において処理されるドキュメントの量は膨大であり、複写等のドキュメント処理に用いられる画像形成装置には、低価格化、低消費電力化、及びランニグコストの低廉化等の要求が高まっている。特に、近年は国際的にも省エネルギー化が求められており、国内外における省電力規格に適合することのみならず、どの程度の余力をもって適合しているかも、画像形成装置の技術優位性を示す重要なポイントとなっている。
【０００５】
この低消費電力化の一つの施策として、印刷動作が一定時間以上行われなかった場合に、ユーザ操作パネル等一部の部品を除き装置各部への給電を停止して装置全体を省電力モードと称される低消費電力状態に移行させる方法が、一般に用いられている。
しかし、従来の画像形成装置では、省電力モードの際に、装置全体の制御を行う制御部への給電も停止してしまうため、省電力モード中における装置各部の状態変化を検知することができず、省電力モードから通常動作モードへの復帰の際に、適正な印刷動作を行えなくなってしまう虞がある。
【０００６】
例えば、画像形成装置の印刷部を構成する光学系ユニットに用いるレンズは、部品費低減のためプラスチックレンズが用いられるのが一般的であるが、省電力モード中に装置筐体のカバーが開閉されると、装置内部の温度や湿度の変化によりプラスチックレンズに歪が発生して光学系ユニットのレーザ経路がずれ、適正な印刷動作ができなくなるという問題を生ずる。また、省電力モード中に、保守作業としてプロセスカートリッジの交換が行われた場合には、装置内部の光学系ユニットとプロセスカートリッジ内部の感光体との位置関係がずれてしまうという問題も生ずる。
【０００７】
このため、省電力モードから通常動作状態への復帰時には、温湿度変化やカートリッジ交換作業がなかった場合にも、常に、これらのズレを補正するための位置ずれ補正制御が行われることとなり、不要な動作による電力消費を発生させてしまうという問題がある。また、この位置ずれ補正制御では、記録紙への印刷は行われないものの、位置ずれ量検出のために転写ベルト上にトナー像が形成されるため、不要な位置ずれ補正制御が行われると、トナーを無駄に消費してランニングコストが増大するという問題も生ずる。
【０００８】
この問題を回避するため、画像形成装置内部の電源を、プリンタ等の可動機構部分等へ給電する駆動系電源と、装置の制御を行うＣＰＵ等へ給電する制御系電源とに分け、省電力モード中は駆動系電源のみ停止し、制御系電源を稼動状態のままにしておく方法が知られている（特許文献１参照）。
しかし、この方法では、省電力モードにおける消費電力の増大を招くという問題を生ずる。
【０００９】
また、上述した従来の画像形成装置における省電力モード中のプロセスカートリッジ交換においては、光学系ユニットと感光体との間の位置ずれ発生という上記の問題のほかに、トナー消費量を管理する上での問題も生ずる。
即ち、通常、画像形成装置は、内部で使用しているプロセスカートリッジのトナー残量を管理し、トナー残量が少なくなった場合には、表示装置によりメッセージを表示してユーザにプロセスカートリッジの交換を促す。このため、画像形成装置は、現在使用しているプロセスカートリッジのトナー残量を正しく管理する必要があるが、一般に、プロセスカートリッジのトナー収容部には、コスト低減の観点から、トナー残量を検知するためのセンサは設けられていない。このため、例えば、印刷に用いられる画像信号に基づいてトナーの累積消費量を推定する方法（特許文献２参照）が用いられる。この方法では、印刷画像の最小構成単位である微小な点（印刷ドット）ごとに、隣接する印刷ドットの数を考慮したトナー消費量の推定値を求め、これを画像全体について加算したものを印刷動作のたびに積算していくことにより、トナーの総消費量を推定している。
【００１０】
しかしながら、上記従来の方法を用いた場合でも、省電力モード期間中にプロセスカートリッジを交換した場合には、画像形成装置の制御装置は、この交換の事実を認識することができない。このため、新品カートリッジに交換した場合であっても、トナー消費の進んだ交換前のプロセスカートリッジのトナー消費量推定値に基づいて、ユーザにカートリッジ交換を促すこととなり、無駄に廃棄されるトナーの量が増えてランニングコストが高くなるという問題を生ずる。
この場合、プロセスカートリッジ自体にトナー消費量推定値を記憶させておく方法も考えられるが、プロセスカートリッジ内部に記憶装置が必要となり、ランニングコストの増加を招くという問題が生ずる。
【発明の概要】
【発明が解決しようとする課題】
【００１１】
本発明は、上記従来の問題に鑑みなされたものであって、その目的は、画像形成装置において、省電力モードから通常動作モードへの復帰時の、不要な動作による電力やトナーの無駄な消費を防止することである。
【課題を解決するための手段】
【００１２】
請求項１に記載された発明は、印刷動作が所定時間行われなかった場合に内部の給電を一部停止して消費電力を低く抑える省電力モードへ移行する機能を有する画像形成装置であって、省電力モード中における画像形成装置の状態変化を監視する監視手段と、監視結果を記憶する記憶手段と、前記状態変化の有無に応じて、復帰時に行う前記状態変化を補正するための補正動作の実行の要否を判断する判断手段とを有することを特徴としている。
請求項２に記載された発明は、請求項１に記載された画像形成装置において、前記監視手段は、省電力モード中における装置筐体カバーの開閉を監視する機能を有し、前記記憶手段は、前記監視手段のカバー開閉の監視結果である開閉履歴情報を記憶することを特徴としている。
請求項３に記載された発明は、請求項１に記載された画像形成装置において、前記監視手段は、画像形成装置内部の温度及び湿度を一定の時間間隔で監視する機能を有し、前記記憶手段は、前記監視手段の温度及び湿度の監視結果である温湿度履歴情報を記憶することを特徴としている。
請求項４に記載された発明は、請求項２又は３のいずれかに記載された画像形成装置において、印刷部を構成する光学系ユニットのレーザ経路の補正及び光学系ユニットと感光体との位置関係の補正を行うための位置ずれ補正手段を有し、前記判断手段は、前記記憶手段に記憶された開閉履歴情報と温湿度履歴情報を参照して、省電力モード中に筐体カバーの開閉が行われた場合、又は、省電力モード中の温度及び湿度に所定値を越える変化があった場合にのみ、前記位置ずれ補正手段に動作を指示することを特徴としている。
請求項５に記載された発明は、請求項１に記載された画像形成装置において、前記監視手段は、省電力モードの間にプロセスカートリッジが着脱されたか否かを監視する機能を有し、前記記憶手段は、前記監視手段のプロセスカートリッジの着脱監視結果である着脱履歴情報を記憶することを特徴としている。
請求項６に記載された発明は、請求項５に記載された画像形成装置において、メッセージを表示する機能及びユーザの操作命令を入力する機能を有する操作手段と、前記操作手段を介して省電力モード中におけるプロセスカートリッジの着脱作業の情報をユーザに問い合わせる問合せ機能を有する制御手段とを有し、前記判断手段は、省電力モードからの復帰時に、前記記憶手段が記憶した着脱履歴情報を参照し、省電力モード中にプロセスカートリッジの着脱が行われた場合には、前記制御手段に前記問合せの実行を指示することを特徴としている。
請求項７に記載された発明は、請求項１ないし６に記載されたいずれかの画像形成装置において、前記記憶手段は、不揮発記憶装置であることを特徴としている。
【発明の効果】
【００１３】
本発明による画像形成装置によれば、通常モードへの復帰の際の不要な動作による電力やトナーの無駄な消費を無くすことができる。
【図面の簡単な説明】
【００１４】
【図１】本発明の画像形成装置の一実施形態の構成を示すブロック図である。
【図２】本発明の画像形成装置の一実施形態における、装置電源投入から省電力モードへの移行までの処理を示すフロー図である。
【図３】本発明の画像形成装置の一実施形態における、省電力モード中の、カバー開閉及びプロセスカートリッジ着脱の監視処理を示すフロー図である。
【図４】本発明の画像形成装置の一実施形態における、省電力モード中の、温湿度の監視処理を示すフロー図である。
【図５】本発明の画像形成装置の一実施形態における、省電力モードからの復帰時の動作手順を示すフロー図である。
【図６】省電力モード中に装置の一部への給電を制御する部分給電制御部の具体例を示す回路図である。
【図７】不揮発記憶部が記憶するデータの構成例を示す図である。
【発明を実施するための形態】
【００１５】
本発明の実施の形態を、図面を参照して説明する。
図１は、本発明の画像形成装置の制御部の構成を示すブロック図である。
本画像形成装置は、省電力モード中における画像形成装置の状態変化を監視する監視手段、例えば、省電力モード中の装置筐体カバーの開閉、画像形成装置内部の温湿度、及びプロセスカートリッジの着脱を監視するための、カバー開閉検出部２、温湿度センサ部１０、及び、カートリッジ検出部１１、を有している。
【００１６】
また、本画像形成装置は、監視手段であるカバー開閉検知部２、温湿度センサ部１０、及び、カートリッジ検出部１１の監視結果を記憶する記憶手段、例えば、補助電源ライン（Ｖｃｏライン）の電源により動作する不揮発記憶部６と、温湿度センサ部１０に一定時間間隔での温湿度測定を行わせるためのリアルタイムクロック８及びアラーム出力検知部９と、リアルタイムクロックを動作させるバッテリー７と、光学系ユニットのレーザ経路の補正及び光学系ユニットと感光体との位置関係の補正を行う位置ずれ補正手段である、位置ずれ補正部１２と、メッセージを表示したりユーザが操作命令を入力するための操作手段である、操作部１３を有している。さらに、本画像形成装置は、装置全体の制御を行う中央処理装置（ＣＰＵ：Central Processing Unit）１と、省電力モードへの移行動作を行う省電力モード設定部３と、常時通電の電源＋５Ｖｅから装置各部への給電を制御する装置給電制御部４と、省電力モード中にカバー開閉が行われた場合等にＶｃｏラインへの給電を開始する一時給電手段である部分給電制御部５も有している。上記の構成において、判断手段と制御手段は、例えばプログラムによりＣＰＵ１を含むコンピュータの機能実現手段として実現される。
【００１７】
本画像形成装置では、ユーザにより装置の電源が投入され装置全体が稼動状態になった後、印刷動作が一定期間行われないと、省電力モード設定部３が装置給電制御部４の給電動作を停止させ、省電力モードに移行する。ただし、図１に示すように、カバー開閉検出部２には＋５Ｖｅが常時通電されているため、省電力モード中であっても、筐体カバーの開閉を検知することができる。即ち、省電力モード中に筐体カバーが開けられると、カバー開閉検出部２はこれを検知して部分給電制御部５のＶｃｏラインへの給電を開始させ、不揮発記憶部６はカバーの開閉履歴情報を記憶する。
また、カバーが開放されている間、カートリッジ検出部１１はプロセスカートリッジの着脱を監視し、着脱された場合には、着脱検知信号を不揮発記憶部６に送信し、不揮発記憶部６はプロセスカートリッジが着脱されたことを示す着脱履歴情報を記憶する。
【００１８】
さらに、リアルタイムクロック８から一定時間間隔で出力されるアラーム出力によっても部分給電制御部５のＶｃｏラインへの給電が開始され、これにより、温湿度センサ部１０は温湿度を検出し、不揮発記憶部６は、その温湿度データを温湿度履歴情報として記憶する。これにより、ＣＰＵ１は、温湿度履歴情報を参照して温湿度の変化を知ることができる。
【００１９】
次に、ユーザが印刷操作を行うと、省電力モードから通常動作状態に復帰する。復帰後、ＣＰＵ１は、不揮発記憶部６が記憶している開閉履歴情報と温湿度履歴情報を参照し、省電力モード中にカバーが開放された場合、又は、省電力モード中の温湿度の変化量が所定の基準値より大きい場合には、位置ずれ補正部１２を動作させて、位置ずれ補正制御を行う。他方、位置ずれ発生の可能性が低い場合、すなわち、カバーが開放されず、かつ、温湿度の変化が基準値以下であった場合には、位置ずれ補正制御は行われず、不要な動作が回避される。
また、ＣＰＵ１は、不揮発記憶部６が記憶している着脱履歴情報を参照し、プロセスカートリッジの着脱が行われていた場合には、操作部１３を通じてユーザに対し、プロセスカートリッジの交換を行ったのか、実装されているプロセスカートリッジを単に着脱しただけなのか等の着脱作業の情報を問い合わせることができる。これにより、プロセスカートリッジのトナー残量の管理を適正に行うことができる。
【００２０】
次に、本画像形成装置の動作手順（１）〜（４）を図２〜図５に示すフロー図に従って説明する。
動作手順（１）
まず、装置電源の投入から省電力モードへの移行までのフロー図を、図２に示す。ユーザが本画像形成装置の電源を投入し装置全体が稼動状態になると（Ｓ１０１）、省電力モード設定部３は印刷動作を監視し（Ｓ１０２）、印刷動作が休止している場合には（Ｓ１０２、Ｙｅｓ）、リアルタイムクロック８によりその動作休止時間を測定する（Ｓ１０３）。印刷休止時間が一定期間を経過すると（Ｓ１０３、Ｙｅｓ）、省電力モード設定部３が装置給電制御部４の給電動作を停止させ（Ｓ１０４）、省電力モードに移行する（Ｓ１０５）。ただし、省電力モードに移行しても、省電力モード設定部３、カバー開閉検出部２、部分給電制御部５、及びアラーム出力検知部９には＋５Ｖｅが常時通電されている。
【００２１】
動作手順（２）
次に、省電力モード中における、筐体カバーの開閉及びプロセスカートリッジの着脱についての、監視動作の手順を図３に示すフロー図に従って説明する。
即ち、省電力モード中に筐体カバーが開けられると（Ｓ２０１、Ｙｅｓ）、カバー開閉検出部２がカバーの開放を検知して開閉検知信号を出力し（Ｓ２０２）、この開閉検知信号により、部分給電制御部５がＶｃｏラインへの給電を開始し（Ｓ２０３）、不揮発記憶部６及びカートリッジ検出部１１が動作を開始する（Ｓ２０４）。不揮発記憶部６は、カバー開閉検出部２の開閉検知信号を受信して、開閉履歴情報を記憶する（Ｓ２０５）。
また、カバーが開放されている間、カートリッジ検出部１１は、プロセスカートリッジの着脱を監視し（Ｓ２０６）、着脱された場合には（Ｓ２０６、Ｙｅｓ）、不揮発記憶部６はプロセスカートリッジが着脱されたことを示す着脱履歴情報を記憶する（Ｓ２０７）。
筐体カバーが閉じられると（Ｓ２０８、Ｙｅｓ）、部分給電制御部５はＶｃｏラインへの給電を停止し（Ｓ２０９）、不揮発記憶部６及びカートリッジ検出部１１が動作を停止する（Ｓ２１０）。
【００２２】
動作手順（３）
次に、省電力モード中における、画像形成装置内部の温湿度についての、監視動作の手順を、図４に示すフロー図に従って説明する。
即ち、アラーム出力検知部９は、リアルタイムクロック８から一定の時間間隔で出力されるアラーム出力を待機し（Ｓ３０１）、アラーム出力を検知すると（Ｓ３０１、Ｙｅｓ）、そのアラーム出力を保持し、アラーム検知信号として出力する（Ｓ３０２）。このアラーム検知信号により、部分給電制御部５は、省電力モード中か否かにかかわらずＶｃｏラインへの給電を開始し（Ｓ３０３）、不揮発記憶部６及び温湿度センサ部１０が動作を開始する（Ｓ３０４）。温湿度センサ部１０は、装置内部の温湿度を検出し、その検出値をデジタル値に変換して出力する（Ｓ３０５）。不揮発記憶部６は、省電力モード設定部３の省電力モード信号により省電力モード中か否かを判定し（Ｓ３０６）、省電力モードであれば（Ｓ３０６、Ｙｅｓ）、温湿度センサ部１０からの温湿度データを温湿度履歴情報として記憶すると共に、温湿度データの記憶回数を記憶する（Ｓ３０７）。
【００２３】
一方、省電力モードでない場合には（Ｓ３０６、Ｎｏ）、不揮発記憶部６による温湿度履歴情報と記憶回数の記憶動作は行われない。これにより、省電力モード中の画像形成装置内部の温湿度履歴情報のみが不揮発記憶部６に記憶されることになる。次に、不揮発記憶部６は、動作の完了を示す完了信号をアラーム出力検知部９に送信し（Ｓ３０８）、これによりアラーム出力検知部９は、アラーム検知信号を停止する（Ｓ３０９）。アラーム検知信号が停止すると、部分給電制御部５はＶｃｏラインへの給電を停止し（Ｓ３１０）、不揮発記憶部６及び温湿度センサ部１０の動作が停止する（Ｓ３１１）。
【００２４】
動作手順（４）
次に、省電力モードから通常動作モードへの、復帰時の動作手順を、図５に示すフロー図に従って説明する。
即ち、ユーザが印刷操作を行うと（Ｓ４０１、Ｙｅｓ）、ＣＰＵ１が休止状態から回復し（Ｓ４０２）、回復後の処理として装置給電制御部４の給電動作を開始させ（Ｓ４０３）、省電力モードから通常動作状態に復帰する（Ｓ４０４）。復帰直後、ＣＰＵ１が不揮発記憶部６へのアクセス信号を出力すると（Ｓ４０５）、部分給電制御部５がＶｃｏラインへの給電を開始して（Ｓ４０６）、不揮発記憶部６が動作状態となる（Ｓ４０７）。ＣＰＵ１は、不揮発記憶部６が記憶している開閉履歴情報を参照し（Ｓ４０８）、省電力モード中にカバーが開けられた場合には（Ｓ４０９、Ｎｏ）、位置ずれ補正部１２を動作させて、位置ずれ補正制御を行う（Ｓ４１２）。
【００２５】
省電力モード中にカバーが開けられていない場合には（Ｓ４０９、Ｙｅｓ）、不揮発記憶部６の温湿度履歴情報を参照し（Ｓ４１０）、省電力モード中の温湿度の変化量が所定の値より大きければ（Ｓ４１１、Ｎｏ）、位置ずれ補正制御を行い（Ｓ４１２）、温湿度変化量が所定の値以下であれば、位置ずれ補正制御は行わない（Ｓ４１１、Ｙｅｓ）。これにより、位置ずれ発生の可能性が低い場合、すなわち、カバーが開放されずプロセスカートリッジが着脱された可能性の無い場合で、かつ、温湿度の変化が基準値未満であった場合には、位置ずれ補正制御は行われず、不要な動作が回避される。
【００２６】
次に、ＣＰＵ１は、不揮発記憶部６に記憶されているプロセスカートリッジの着脱履歴情報を参照し（Ｓ４１３）、カートリッジの着脱が行われている場合（Ｓ４１４、Ｎｏ）には、操作部１３を通じて、ユーザに対し、プロセスカートリッジの交換を行ったのか、実装されているプロセスカートリッジを単に着脱しただけなのか等の着脱作業の情報を問合せる（Ｓ４１５）。これにより、ＣＰＵ１は、プロセスカートリッジのトナー残量の管理を適正に行うことができる。問合せを完了すると、ＣＰＵ１は、通常の処理作業に復帰する（Ｓ４１６）。
なお、上記（６）の位置ずれ補正制御は、着脱履歴情報及び温湿度履歴情報に基づいて、プロセスカートリッジの着脱が行われた場合又は温湿度変化が所定値を越えた場合に実行するものとすることもできる。
【００２７】
次に、本画像形成装置を構成する部分給電制御部５の具体例を説明する。
図６は、部分給電制御部５の具体例を示す回路図である。
本部分給電制御部５は、カバー開閉検出部２を含んでおり、トランジスタＴｒ２１〜２６によりそれぞれ構成される６個のトランジスタスイッチと、カバー開閉を検知するスイッチ２７と、抵抗器３４、３５で構成される分圧回路とを有している。
ＳＬＰ＿Ｎ信号は、省電力モード設定部が出力する省電力モード信号であり、低レベル（以下「Ｌレベル」と称する。）のときに省電力モード状態にあることを示す。ＣＰＵ＿ＡＣＳ＿Ｐ信号は、ＣＰＵ１が不揮発記憶部６にアクセスする場合に出力するアクセス信号で、アクセス時に高レベル（以下「Ｈレベル」と称する。）となる。また、ＲＴＣ＿ＡＬＭ＿Ｐ信号は、アラーム出力検知部９より出力されるアラーム検知信号であり、アラーム信号を検知したときにＨレベルとなる。
【００２８】
まず、カバー開閉検出部２としての動作について説明する。
装置筐体のカバーが閉じた状態では、スイッチ２７は閉じた状態となっており、＋５Ｖｅを抵抗器３４及び３５で分圧した電圧が、COVER_OPEN_N信号のＨレベル信号として出力される。次に装置筐体カバーが開放されると、スイッチ２７は開いた状態となり、COVER_OPEN_Nは抵抗器３５を介してGND電位となり、Ｌレベルとなる。
【００２９】
次に、部分給電制御部５のＶｃｏ給電動作について説明する。
なお、トランジスタＴｒ２１〜２４は、ｐｎｐ型であり、ベース入力信号がＨレベルのときコレクタ・エミッタ間（以下「ＣＥ間」と称する。）がオフ状態、ベース入力信号がＬレベルのときＣＥ間がオン状態となる。一方、トランジスタＴｒ２５、２６は、ｎｐｎ型であり、ベース入力信号がＨレベルのときＣＥ間がオン状態、ベース入力信号がＬレベルのときＣＥ間がオフ状態となる。
【００３０】
まず、通常動作モード（SLP_N信号がＨレベル）の場合について説明する。この場合、SLP_N信号はＨレベルのため、トランジスタＴｒ２２及び２３は、ベース電位が高くなり、ＣＥ間がそれぞれオフ状態となる。したがって、スイッチ２７の状態は本回路の動作には影響せず、通常動作モード時の筐体カバーの開閉は、下記の動作に影響しない。
（１）リアルタイムクロック８のアラーム信号が発生しておらず（RTC_ALM_P信号がＬレベル）、かつ、ＣＰＵ１が不揮発記憶部６にアクセスしない場合（CPU_ACS_P信号がＬレベル）
この場合は、トランジスタＴｒ２５及び２６は、ベース電位が低くなりＣＥ間がオフ状態となる。したがって、トランジスタＴｒ２４は、ベースがどこにも接続されていないフローティング状態となり、ＣＥ間がオフ状態となる。すなわち、トランジスタＴｒ２２〜２６のすべてがＣＥ間オフ状態となるため、トランジスタＴｒ２１は、ベースがフローティング状態となり、ＣＥ間がオフ状態となる。したがって、＋５ＶｅはＶｃｏラインに接続されず、Ｖｃｏラインへの給電は行われない。
【００３１】
（２）リアルタイムクロック８のアラーム信号が発生したか（RTC_ALM_P信号がＨレベル）、又は、ＣＰＵ１が不揮発記憶部６へのアクセスが発生した場合（CPU_ACS_P信号がＨレベル）
この場合は、トランジスタＴｒ２５又は２６のいずれかのトランジスタＴｒのＣＥ間がオンとなるので、トランジスタＴｒ２４は、ベース電位がＨレベルとなり、ＣＥ間がオン状態になる。このため、トランジスタＴｒ２２、２３の状態にかかわらず、トランジスタＴｒ２１のベース電位はＬレベルとなり、トランジスタＴｒ２１のＣＥ間がオンになって、Ｖｃｏラインへ給電される。なお、この動作は、トランジスタＴｒ２２，２３の状態、すなわち、省電力モードか否かを示すSLP_N信号にかかわらないため、リアルタイムクロック８のアラーム信号発生時又は不揮発記憶部６へのＣＰＵアクセス時には、通常動作モード及び省電力モードのいずれの場合であっても、Ｖｃｏへの給電が開始される。
【００３２】
次に、省電力モード（SLP_N信号がＬレベル）の場合について説明する。この場合には、SLP_N信号がＬレベルのため、トランジスタＴｒ２２及び２３は、ベース電位が低くなり、ＣＥ間がそれぞれオン状態となる。したがって、スイッチ２７の状態により、本回路の動作が変わる。なお、リアルタイムクロック８のアラーム信号発生時又は不揮発記憶部６へのＣＰＵアクセス時の動作は、上述と同様である。
（１）筐体カバーが閉じられており、スイッチ２７が閉じている場合
この場合には、トランジスタＴｒ２１は、そのベース電圧が、＋５Ｖｅを抵抗３１と２８により分圧した電圧（Ｈレベル）とほぼ等しくなるため、ＣＥ間がオフとなる。したがって、＋５ＶｅはＶｃｏラインに接続されず、Ｖｃｏラインへの給電は行われない。
（２）筐体カバーが開放されスイッチ２７が開く場合
この場合には、トランジスタＴｒ２２のエミッタはＧＮＤ電位となるため、トランジスタＴｒ２２のコレクタからトランジスタＴｒ２３のエミッタへの電流は停止し、抵抗２８の電圧降下はほぼ０となる。このため、トランジスタＴｒ２１は、ベース電位がＬレベルとなってＣＥ間がオンとなる。従って、＋５ＶｅはＶｃｏラインに接続され、Ｖｃｏラインへの給電が開始される。
【００３３】
次に、不揮発記憶部６に記憶されるデータの構成の具体例を、図７を参照して説明する。
一般に、記憶装置には複数の記憶エリアがあり、各記憶エリアには、その記憶エリアを識別するためのアドレスが設けられている。
本不揮発記憶部では、アドレスM番地に筐体カバーの開閉履歴情報、例えば開閉が行われた場合に“１”、開閉されなかった場合に“０”が記憶される。また、アドレスＬ番地には、プロセスカートリッジの着脱履歴情報が記憶される。この情報は、色別に設けられたカートリッジの数に対応して、色数と同じ桁数の２進数とすることができる。例えば、４色の場合には４桁の２進数データとし、カートリッジの着脱の有無によって、そのカートリッジの色に対応する桁を１又は０として、記憶させておくことができる。
【００３４】
次に、アドレスＮ番地には、アドレスｎ番地以降に記憶される温湿度データの、記憶エリアの末尾のアドレスが記憶される。アドレス検知信号を１回受信すると、温度データと湿度データが一つずつ記憶され、合計２つの記憶エリアが費やされる。したがって、不揮発記憶部６は、アラーム検知信号を受信するたびにアドレスN番地の内容に２を加算し、受信回数がａ回の場合には、アドレスＮ番地のデータ値は（ｎ＋２ａ−１）となる。ここに、ｎは温湿度データの記憶エリアの先頭アドレスである。アドレスｎ番地以降には、省電力モードへの移行後にアラーム検知信号の受信をトリガとして測定した温度データ及び湿度データが、順次記憶される。
【００３５】
以上説明したように、本実施形態によれば、省電力モード中における画像形成装置の状態の変化、例えば、カートリッジの交換、プロセスカートリッジの交換に伴う筐体カバーの開閉、或いは内部の温度、湿度の所定の基準値を越える変化を検知して記憶しておき、これに基づき、省電力モードからの復帰時における補正処理の実行の要否を判断するため、従来のような無駄な補正処理を行うことがない。
また、上記状態の変化を記録する場合は、記憶手段に記憶を行うために必要な電力をその都度一時的に供給するようにしたため、従来のように省電力モードにおいて電源を分けて一方を供給、他方を遮断するというような硬直的な節電に比べて、柔軟に対応するため、節電効果を向上させることができる。
【符号の説明】
【００３６】
１・・・ＣＰＵ、２・・・カバー開閉検出部、３・・・省電力モード設定部、４・・・装置給電制御部、５・・・部分給電制御部、６・・・不揮発記憶部、８・・・リアルタイムクロック、９・・・アラーム出力検知部、１０・・・温湿度センサ部、１１・・・カートリッジ検出部、１３・・・操作部、２１〜２６・・・トランジスタＴｒ、２７・・・スイッチ、２８〜３６・・・抵抗器。
【先行技術文献】
【特許文献】
【００３７】
【特許文献１】特開２００６−１５９７４０号公報
【特許文献２】特開２００８−２０８２６号公報
【図１】
2011197127.tif 000003
【図２】
2011197127.tif 000004
【図３】
2011197127.tif 000005
【図４】
2011197127.tif 000006
【図５】
2011197127.tif 000007
【図６】
2011197127.tif 000008
【図７】
2011197127.tif 000009